(57)【要約】【課題】コモンモードノイズの発生が少なく、通信品質の劣化が少ない電力線搬送通信が可能な屋内電力配線を提供する。【解決手段】屋内電力配線は、電力配線線路の途中にコモンモードチョークが接続される。  接続されるコモンモードチョークは、この屋内電力配線を利用する電力線搬送通信の搬送周波数帯域におけるコモンモードインピーダンス値が十分大きな値となるように設定される。コモンモードチョークは、給電側線路と複数の被給電側線路とを接続する分岐部であるジョイントボックス９１、９２、コンセント２ａ、３ａ、３ｂ、３ｃ、３ｄ等に設けられる。【選択図】図１
2005333224.tif 000002
【特許請求の範囲】
【請求項１】
電力線搬送通信に利用される屋内電力配線であって、
電力配線線路の途中に接続されるコモンモードチョークを有する屋内電力配線。
【請求項２】
請求項１記載の屋内電力配線であって、
給電側線路と複数の被給電側線路とを接続する分岐部を備え、
前記コモンモードチョークは、前記分岐部の前記給電側線路と前記被給電側線路のそれぞれとの間に接続される屋内電力配線。
【請求項３】
請求項２記載の屋内電力配線であって、
前記分岐部は、前記給電側線路と接続される給電側端子と、前記被給電側線路と接続される被給電側端子と、前記給電側端子と前記被給電側端子との間に接続される前記コモンモードチョークを有するジョイントボックスによって構成される屋内電力配線。
【請求項４】
請求項１ないし３のいずれか１項記載の屋内電力配線であって、
前記コモンモードチョークは、電源コンセントに設けられ、前記電源コンセントの給電側線路が接続される給電側端子と前記コンセントのジャック導体との間に接続される屋内電力配線。
【請求項５】
請求項１ないし３のいずれか１項記載の屋内電力配線であって、
電源コンセントの給電側端子に接続される配線アダプタを備え、
前記配線アダプタは、給電側線路に接続される給電側端子と、前記電源コンセントの給電側端子に接続されるコンセント接続端子を有し、
前記コモンモードチョークは、前記給電側端子と前記コンセント接続端子との間に接続される屋内電力配線。
【請求項６】
請求項１ないし５のいずれか１項記載の屋内電力配線であって、
給電側線路と被給電側線路間に２線接続されるスイッチ部材を有し、
前記コモンモードチョークは、前記スイッチ部材の給電側端子と被給電側端子との間に接続され、
前記スイッチ部材のスイッチ要素は、前記コモンモードチョークと前記被給電側端子との間に設けられる屋内電力配線。
【請求項７】
請求項１ないし６のいずれか１項記載の屋内電力配線であって、
電源コンセントに接続されるテーブルタップを有し、
前記コモンモードチョークは、前記テーブルタップの電源ジャックと電源コードとの間に接続される屋内電力配線。
【請求項８】
請求項１ないし７のいずれか１項記載の屋内電力配線であって、
前記コモンモードチョークは、電力線搬送通信の搬送周波数帯域におけるコモンモードインピーダンス値が十分大きな値である屋内電力配線。
【請求項９】
屋内電力配線を分岐させるジョイントボックスであって、
給電側線路と接続される給電側端子と、
被給電側線路と接続される被給電側端子と、
前記給電側端子と前記被給電側端子とを接続するコモンモードチョークを有するジョイントボックス。
【請求項１０】
請求項９記載のジョイントボックスであって、
前記コモンモードチョークは、前記屋内配線を利用する電力線搬送通信の搬送周波数帯域におけるコモンモードインピーダンス値が十分大きな値であるジョイントボックス。
【請求項１１】
屋内電力配線の電源コンセントの給電側端子に接続される配線アダプタであって、
給電側線路に接続される給電側端子と、
前記電源コンセントの給電側端子に接続されるコンセント接続端子と、
前記給電側端子と前記コンセント接続端子との間に接続されるコモンモードチョークを有する配線アダプタ。
【請求項１２】
請求項１１記載の配線アダプタであって、
前記コモンモードチョークは、前記屋内配線を利用する電力線搬送通信の搬送周波数帯域におけるコモンモードインピーダンス値が十分大きな値である配線アダプタ。
【請求項１３】
屋内電力配線に２線接続されるスイッチ部材であって、
給電側線路に接続される給電側端子と、
被給電側線路に接続される被給電側端子と、
前記給電側端子と前記被給電側端子との間に接続されるコモンモードチョークと、
前記コモンモードチョークと前記被給電側端子との間に設けられるスイッチ要素を有するスイッチ部材。
【請求項１４】
請求項１３記載のスイッチ部材であって、
前記コモンモードチョークは、前記屋内配線を利用する電力線搬送通信の搬送周波数帯域におけるコモンモードインピーダンス値が十分大きな値であるスイッチ部材。
【請求項１５】
屋内電力配線の電源コンセントに挿入される電源プラグと、
複数組の電源ジャックを有するタップ部と、
前記電源プラグと前記タップ部とを接続する電源コードとを備え、
前記タップ部は、前記電源コードが接続される給電側導体と前記電源ジャックとの間に接続されるコモンモードチョークを有するテーブルタップ。
【請求項１６】
請求項１５記載のスイッチ部材であって、
前記コモンモードチョークは、前記屋内配線を利用する電力線搬送通信の搬送周波数帯域におけるコモンモードインピーダンス値が十分大きな値であるテーブルタップ。
【発明の詳細な説明】
【技術分野】
【０００１】
本発明は、電力線搬送通信に利用される屋内電力配線、屋内電力配線に利用されるジョイントボックス、配線アダプタ、スイッチ部材、テーブルタップに関する。
【背景技術】
【０００２】
電力線搬送通信は、商用電力を供給する電力線を伝送路として通信を行うものであり、通常、２本の線路を利用した平衡伝送によって行われる。屋内電力線通信においては、２本又は３本の電力配線が接続される電力供給用のコンセントにモデムを介して通信機器を接続し、コンセントに接続した通信機器間で送受信が行われる。
【０００３】
電力線搬送通信においては、伝送路の平衡度が必ずしも十分でないため、コモンモードノイズの発生を考慮する必要がある。すなわち、屋内に配線される電力配線は、配線自体の平衡度が必ずしも高くないことと、電力配線に接続される種々の電気機器の平衡度の悪さ等によっても平衡度が低下してコモンモードノイズが発生する。
【０００４】
電力線搬送通信におけるコモンモードノイズの低減のために、コモンモードチョークを利用した技術が特許文献１に記載されている。特許文献１に記載される電力線搬送通信用インダクタ装荷器は、電力線と電気機器の電源供給端との間を接続する各線路に挿入されるものであって、線路に直列にインダクタが挿入されるとともに、線路間に特定の周波数帯における不平衡成分を減衰させる電源用コモンモードチョークコイルが挿入されるものである。
【０００５】
しかし、特許文献１に記載された電力線搬送通信用インダクタ装荷器は、電力供給用のコンセントに差し込んで使用するものであり、使い勝手がよくない。また、電力配線に直接接続される電気機器がもたらす伝送路の不平衡成分を減衰させることができない。
【０００６】
【特許文献１】特開２００３−２８３３９０号公報
【発明の開示】
【発明が解決しようとする課題】
【０００７】
本発明は、上記事情に鑑みなされたもので、通信品質の劣化が少なくコモンモードノイズ発生の少ない電力線搬送通信が可能な屋内電力配線を提供することを目的とする。
【課題を解決するための手段】
【０００８】
本発明の電力線搬送通信に利用される屋内電力配線は、電力配線線路の途中に接続されるコモンモードチョークを有するものである。本発明によれば、配線途中にコモンモードチョークを内蔵することにより、屋内配線の平衡度を上げコモンモード電流の発生を抑えることができ、電力線搬送通信の劣化も低減することができる。
【０００９】
本発明の屋内電力配線は、給電側線路と複数の被給電側線路とを接続する分岐部を備え、前記コモンモードチョークが、前記分岐部の前記給電側線路と前記被給電側線路のそれぞれとの間に接続されるものを含む。
【００１０】
本発明の屋内電力配線は、前記分岐部が、前記給電側線路と接続される給電側端子と、前記被給電側線路と接続される被給電側端子と、前記給電側端子と前記被給電側端子との間に接続される前記コモンモードチョークを有するジョイントボックスによって構成されるものを含む。このようにジョイントボックスの給電側端子と分岐される被給電側端子の間にコモンモードヨークを内蔵しておくことにより、最初の電源工事を行うだけで平衡度のよい屋内配線を提供することができる。
【００１１】
本発明の屋内電力配線は、前記コモンモードチョークが、電源コンセントに設けられ、前記電源コンセントの給電側線路が接続される給電側端子と前記コンセントのジャック導体との間に接続されるものを含む。
【００１２】
本発明の屋内電力配線は、電源コンセントの給電側端子に接続される配線アダプタを備え、前記配線アダプタは、給電側線路に接続される給電側端子と、前記電源コンセントの給電側端子に接続されるコンセント接続端子を有し、前記コモンモードチョークは、前記給電側端子と前記コンセント接続端子との間に接続されるものを含む。本発明によれば、すでに配線された屋内配線用コンセントに配線アダプタを接続することにより、コモンモードノイズの低減可能な屋内配線を実現できる。
【００１３】
本発明の屋内電力配線は、給電側線路と被給電側線路間に２線接続されるスイッチ部材を有し、前記コモンモードチョークは、前記スイッチ部材の給電側端子と被給電側端子との間に接続され、前記スイッチ部材のスイッチ要素は、前記コモンモードチョークと前記被給電側端子との間に設けられるものを含む。
【００１４】
本発明の屋内電力配線は、電源コンセントに接続されるテーブルタップを有し、前記コモンモードチョークは、前記テーブルタップの電源ジャックと電源コードとの間に接続されるものを含む。
【００１５】
本発明の屋内電力配線は、前記コモンモードチョークが、電力線搬送通信の搬送周波数帯域におけるコモンモードインピーダンス値が十分大きな値であるものを含む。
【００１６】
本発明のジョイントボックスは、屋内電力配線を分岐させるものであって、給電側線路と接続される給電側端子と、被給電側線路と接続される被給電側端子と、前記給電側端子と前記被給電側端子とを接続するコモンモードチョークを有するものである。
【００１７】
本発明のジョイントボックスは、前記コモンモードチョークが、前記屋内配線を利用する電力線搬送通信の搬送周波数帯域におけるコモンモードインピーダンス値が十分大きな値であるものを含む。
【００１８】
本発明の配線アダプタは、屋内電力配線の電源コンセントの給電側端子に接続される配線アダプタであって、給電側線路に接続される給電側端子と、前記電源コンセントの給電側端子に接続されるコンセント接続端子と、前記給電側端子と前記コンセント接続端子との間に接続されるコモンモードチョークを有するものである。
【００１９】
本発明の配線アダプタは、前記コモンモードチョークが、前記屋内配線を利用する電力線搬送通信の搬送周波数帯域におけるコモンモードインピーダンス値が十分大きな値であるものを含む。
【００２０】
本発明のスイッチ部材は、屋内電力配線に２線接続されるものであって、給電側線路に接続される給電側端子と、被給電側線路に接続される被給電側端子と、前記給電側端子と前記被給電側端子との間に接続されるコモンモードチョークと、前記コモンモードチョークと前記被給電側端子との間に設けられるスイッチ要素を有するものである。
【００２１】
本発明のスイッチ部材は、前記コモンモードチョークが、前記屋内配線を利用する電力線搬送通信の搬送周波数帯域におけるコモンモードインピーダンス値が十分大きな値であるものを含む。
【００２２】
本発明のテーブルタップは、屋内電力配線の電源コンセントに挿入される電源プラグと、複数組の電源ジャックを有するタップ部と、前記電源プラグと前記タップ部とを接続する電源コードとを備え、前記タップ部は、前記電源コードが接続される給電側導体と前記電源ジャックとの間に接続されるコモンモードチョークを有するものである。
【００２３】
本発明のテーブルタップは、前記コモンモードチョークが、前記屋内配線を利用する電力線搬送通信の搬送周波数帯域におけるコモンモードインピーダンス値が十分大きな値であるものを含む。
【発明の効果】
【００２４】
以上の説明から明らかなように、本発明によれば、通信品質の劣化が少なくコモンモードノイズの少ない電力線搬送通信が可能な屋内電力配線を提供することができる。
【発明を実施するための最良の形態】
【００２５】
以下、本発明の実施の形態について、図面を用いて説明する。図１に、本発明の実施の形態を説明するための単相３線式屋内電力配線の要部概略構成を示す。
【００２６】
単相３線式の電力配線は、第１電圧線Ｌ１、第２電圧線Ｌ２、中性線Ｎからなり、主遮断機１を経由して屋内に配線される。第１電圧線Ｌ１と中性線Ｎの間、及び第２電圧線と中性線Ｎの間は１００Ｖの交流電圧が供給され、それぞれの交流電圧は位相が反転しているので、第１電圧線Ｌ１と第２電圧線Ｌ２の間は、２００Ｖの交流電圧となる。屋内の電気機器に１００Ｖの電力を提供する場合は、第１電圧線Ｌ１と中性線Ｎの２線、又は第２電圧線と中性線Ｎの２線に、屋内の各箇所に設置したコンセントを介して、又は直接接続することによって行う。また、２００Ｖの高電圧電力を提供する場合は、第１電圧線Ｌ１と第２電圧線Ｌ２の２線によって行う。なお、２００Ｖの電力を提供する場合には、設置のために中性線も合わせて接続するのが一般的である。
【００２７】
図１においては、第１電圧線Ｌ１と中性線Ｎに１００Ｖ用コンセント（以下、単に「コンセント」と記述する場合は、「１００Ｖ用コンセント」を指す。）２ａが接続され、第２電圧線Ｌ２と中性線Ｎにコンセント３ａ、３ｂ、３ｃ、３ｄが接続されている。そして、コンセント３ｂ、３ｄから、それぞれ１００Ｖ電気機器５２、５３に１００Ｖ交流電圧が供給されている。コンセント２ａ、３ａ、３ｃには、それぞれモデム７ａ、７ｂ、７ｃを介して通信機器８ａ、８ｂ、８ｃが接続され、電力線搬送通信が可能となっている。なお、図１では、モデム７ａ、７ｂ、７ｃと通信機器８ａ、８ｂ、８ｃを別の要素として記載してあるが、通信機器８ａ、８ｂ、８ｃがそれぞれのモデム７ａ、７ｂ、７ｃを内蔵していてもよい。また、通信機器８ａ、８ｂ、８ｃへの電源供給は、図示を略したが、コンセント２ａ、３ａ、３ｃ又は他のコンセントから行われる。
【００２８】
照明機器等の電気機器は、コンセントを介さずに電源が供給されることが多く、第１電圧線Ｌ１と中性線Ｎ、又は第２電圧線Ｌ２と中性線Ｎが直接接続される。図５においては、１００Ｖ電気機器５１が直接、電気機器５４がスイッチ部５４１を介して接続されている。
【００２９】
２００Ｖ電気機器に電力を供給するための２００Ｖ用コンセント４ａ、４ｂには、第１電圧線Ｌ１、第２電圧線Ｌ２及び中性線Ｎの３線が接続される。図５においては、２００Ｖ用コンセント４ａから、２００Ｖ電気機器６に電源供給されている。
【００３０】
屋内電力配線は、多くコンセントや電気機器に接続するため、線路中の各所にジョイントボックス９１、９２が設けられる。ジョイントボックス９１、９２は、電力配線の分岐を行うもので、給電側の線路と複数の被給電側の線路を接続している。なお、以下の説明において、給電側は、屋外配線に接続された遮断機１や分電盤（図示せず）に近い側を意味し、被給電側は、遮断機１や分電盤（図示せず）から遠い側、すなわち電力が供給される電気機器あるいは電力線搬送通信を行う通信機器に近い側を意味する。
【００３１】
図１において、ジョイントボックス９１は、主遮断機１側の給電側線路９１ａを、コンセント３ａに接続する線路９１ｂとジョイントボックス９２に接続する線路９１ｃに分岐させている。また、ジョイントボックス９２は、ジョイントボックス９１側の給電側線路９１ｃを、１００Ｖ電気機器５４に接続する線路９２ａ、１００Ｖ電気機器５１に接続する線路９２ｂとコンセント３ｂに接続する線路９２ｃに分岐させている。
【００３２】
通信機器８ａ、８ｂ、８ｃ間の通信は、電力線の２線を利用して行われ、例えばＯＦＤＭ方式で行われる。図１から明らかなように、通信機器８ｂと８ｃ間は、第２電圧線Ｌ２と中性線Ｎによって直接接続されているが、通信機器８ａは、第１電圧線Ｌ２と中性線Ｎに接続されており、通信機器８ｂ及び８ｃと通信機器８ａ間は、直接接続されていない。直接接続されていないことによる影響を減少させるため、アダプタ装置１０が２００Ｖ用コンセント４ｂに接続される。アダプタ装置１０については、後述する。
【００３３】
図１の屋内電力配線は、電力配線線路の途中にコモンモードチョークが接続される。    接続されるコモンモードチョークは、この屋内電力配線を利用する電力線搬送通信の搬送周波数帯域におけるコモンモードインピーダンス値が十分大きな値となるように設定される。ここで利用される電力線搬送通信の搬送周波数帯域は、例えば２ＭＨｚから３０ＭＨｚであり、インピーダンス値は、例えば１ｋΩ以上である。このようなコモンモードチョークを挿入すると、伝送線路に発生したコモンモード電流を熱として消費することができ、高周波ノイズの発生を抑えることができる。
【００３４】
また、コモンモードチョークの搬送周波数帯域におけるディファレンシャルモードでのインピーダンス値は、十分小さい値、例えば数十Ω以下に設定する。
【００３５】
以上説明したコモンモードチョークは、給電側線路と複数の被給電側線路とを接続する分岐部、図１の屋内配線ではジョイントボックス９１、９２に設けることができる。
【００３６】
図２に、コモンモードチョークを設けたジョイントボックスの一例の概略構成を示す。  図２のジョイントボックスは、給電側端子９０２ａ、９０２ｂ、被給電側端子９０３ａ、９０３ｂ、コモンモードチョーク９１０を含んで構成され、これらは、模式的に示す筐体９０１に収納される。給電側端子９０２ａ、９０２ｂは、給電側線路９２０に接続されるものであり、被給電側端子９０３ａ、９０３ｂは、被給電側線路９３１、９３２に接続されるものである。コモンモードチョーク９１０は、給電側端子９０２ａ、９０２ｂと被給電側端子９０３ａ、９０３ｂとの間に接続される。図２の例では、被給電側端子９０３ａ、９０３ｂを２組の被給電側線路に接続しているが、３組以上でもよい。
【００３７】
図３に、コモンモードチョークを設けたジョイントボックスの他の例の概略構成を示す。図３のジョイントボックスは、コモンモードチョークと被給電側端子を分岐数に対応させて設ける点を除いて、図２のジョイントボックスと同様である。図３のジョイントボックスは、被給電側線路９３１に接続される被給電側端子９０４ａ、９０４ｂと、被給電側線路９３２に接続される被給電側端子９０５ａ、９０５ｂが設けられている。そして、給電側端子９０２ａ、９０２ｂと被給電側端子９０４ａ、９０４ｂとの間にコモンモードチョーク９１１が接続され、給電側端子９０２ａ、９０２ｂと被給電側端子９０５ａ、９０５ｂとの間にコモンモードチョーク９１２が接続される。このように分岐線路毎にコモンモードチョークを設けることにより、一方の分岐路のコモンモードノイズが他方の分岐路に伝わるのを抑制することができる。
【００３８】
コモンモードチョークは、電源コンセントに設けることもできる。図４に、コモンモードチョークを設けた電源コンセントの一例の概略構成を示す。図４の電源コンセントは、給電側端子３０２ａ、３０２ｂ、電源ジャック３０３ａ、３０３ｂ、３０４ａ、３０４ｂ、コモンモードチョーク３１０を含んで構成され、これらは、模式的に示す筐体３０１に収納される。給電側端子３０２ａ、３０２ｂは、電源ケーブル用孔３０５ａ、３０５ｂを介して挿入される給電側線路（図示せず）に接続される。コモンモードチョーク３１０は、給電側端子３０２ａ、３０２ｂと電源ジャック３０３ａ、３０３ｂ、３０４ａ、３０４ｂとの間に接続される。
【００３９】
図５に、コモンモードチョークを設けた電源コンセントの他の例の概略構成を示す。図５の電源コンセントは、被給電側線路への接続が可能となっている点を除いて、図４の電源コンセントと同様である。図５の電源コンセントは、被給電側線路となる電源ケーブル（図示せず）が接続可能な電源ジャック３０６ａ、３０６ｂを有する。そして、給電側端子３０２ａ、３０２ｂと電源ジャック３０６ａ、３０６ｂとの間にコモンモードチョーク３１０が接続される。なお、被給電側線路となる電源ケーブルは、電源ケーブル用孔３０５ａ、３０５ｂを介して挿入される。図５に示す電源コンセントは、例えば、図１の電源コンセント３ｃとして利用される。
【００４０】
コモンモードチョークは、電源コンセントの給電側端子に接続される配線アダプタに設けることもできる。図６に、コモンモードチョークを設けた配線アダプタの一例の概略構成を示す。図６の配線アダプタは、給電側端子３２２ａ、３２２ｂ、被給電側端子３２３ａ、３２３ｂ、コンセント接続部材３２４ａ、３２４ｂ、コモンモードチョーク３２０を含んで構成され、これらは、模式的に示す筐体３２１に収納される。給電側端子３２２ａ、３２２ｂは、電源ケーブル用孔３２５ａ、３２５ｂを介して挿入される給電側線路（図示せず）に接続される。コモンモードチョーク３２０は、給電側端子３２２ａ、３２２ｂと被給電側端子３２３ａ、３２３ｂとの間に接続される。コンセント接続部材３２４ａ、３２４ｂは、被給電側端子３２３ａ、３２３ｂに接続され、電源コンセントの給電側端子に接続される。
【００４１】
したがって、図６に示す配線アダプタは、給電側線路と電源コンセントの間に設けられることになり、電源コンセントを交換することなく、電源コンセントの給電側線路にコモンモードチョークを接続することができる。なお、屋内配線用電源コンセントはケーブルの被覆を剥いでコンセントにある穴に銅線を挿入することで簡単に接続できるような構造になっているのが普通であるので、図６に示す配線アダプタのコンセント接続部材３２４ａ、３２４ｂをコンセントの穴に挿入できるようた形状とすることにより、簡単に配線アダプタを付加することができる。
【００４２】
コモンモードチョークは、給電側線路と被給電側線路間に２線接続されるスイッチ部材に設けることもできる。２線接続されるスイッチ部材は、図７に示すように、照明機器等の１００Ｖ電気機器に対する給電線路の途中に設けられる。図７は、図１に示す屋内電力配線のジョイントボックス９２と１００Ｖ電気機器５４との間の線路を抜き出して示したものである。
【００４３】
図８に、コモンモードチョークを設けたスイッチ部材の一例の概略構成を示す。図８のスイッチ部材は、給電側端子５４２２ａ、５４２２ｂ、被給電側端子５４２３ａ、５４２３ｂ、コモンモードチョーク５４２０、スイッチ要素５４３０を含んで構成され、これらは、模式的に示す筐体５４２１に収納される。給電側端子５４２２ａ、５４２２ｂは、電源ケーブル用孔５４２４ａ、５４２４ｂを介して挿入される給電側線路（図示せず）に接続され、被給電側端子５４２３ａ、５４２３ｂは、電源ケーブル用孔５４２５ａ、５４２５ｂを介して挿入される被給電側線路（図示せず）に接続される。コモンモードチョーク５４２０は、給電側端子５４２２ａ、５４２２ｂと被給電側端子５４２３ａ、５４２３ｂとの間に接続される。また、スイッチ要素５４３０は、コモンモードチョーク５４２０と被給電側端子５４２３ｂとの間に接続される。スイッチ要素が２接点を有する者である場合は、コモンモードチョーク５４２０と被給電側端子５４２３ａ、５４２３ｂとの間に接続される。
【００４４】
一方の配線にスイッチ要素を挿入した場合、一方の線路が長くなって線路の平衡度が低下するが、図８に示すスイッチ部材を利用すると、スイッチ要素の存在による平衡度の劣化を低減させることができる。また、コモンモードチョークにより、コモンモードノイズも低減することができる。
【００４５】
コモンモードチョークは、電力配線の一部として利用されるテーブルタップに設けることもできる。図９に、コモンモードチョークを設けたテーブルタップの一例の概略構成を示す。図９のテーブルタップは、電源コンセントの電源ジャック（図示せず）に挿入される電源プラグ１６、電源コード１７、タップ筐体１８を含んで構成される。
【００４６】
電源プラグ１６は、電源プラグ端子１６１ａ、１６１ｂを有しており、電源コンセントの電源ジャック（図示せず）に挿入される。
【００４７】
模式的に示すタップ筐体１８には、給電側端子１８１ａ、１８１ｂ、電源ジャック１８２ａ、１８２ｂ、１８３ａ、１８３ｂ、コモンモードチョーク１８０を収納する。給電側端子１８１ａ、１８１ｂは、電源コード１７を介して電源プラグ端子１６１ａ、１６１ｂに接続される。また、コモンモードチョーク１８０は、給電側端子１８１ａ、１８１ｂと電源ジャック１８２ａ、１８２ｂ、１８３ａ、１８３ｂとの間に接続される。
【００４８】
次に、２００Ｖコンセント４ａに挿入されるアダプタ装置１０について説明する。図１０に、アダプタ装置１０の一例の概略構成を示す。図１０のアダプタ装置１０は、２００Ｖ用コンセントに接続して使用するもので、電源プラグ端子１１１、１１２、１１Ｎ、コンデンサ１２、電源ジャック１３１、１３２、１３Ｎを含み、模式的に示すアダプタ筐体１００に収納される。
【００４９】
電源プラグ端子１１１、１１２は、２００Ｖ用コンセントの電源ジャック（図示せず）に挿入され、第１電圧線Ｌ１又は第２電圧線Ｌ２に接続される。また、電源プラグ端子１１Ｎも同様に、２００Ｖ用コンセントの電源ジャック（図示せず）に挿入され、中性線Ｎに接続される。コンデンサ１２は、電源プラグ端子１１１、１１２間に接続されるインピーダンス要素であり、そのインピーダンスの絶対値は、電力線搬送通信の搬送周波数帯域において実質的に無視できる程度の値に設定される。ここで、電力線搬送通信の搬送周波数帯域において実質的に無視できる程度の値とは、第１電圧線Ｌ１から第２電圧線Ｌ２に又は第２電圧線Ｌ２から第１電圧線Ｌ１に電力線搬送通信の信号が大きく減衰せずに伝達されるように、電力線搬送通信の搬送周波数におけるインピーダンスの絶対値が実質的に無視できる程度の値であることを意味する。その結果、コンデンサ１２は、第１電圧線Ｌ１と第２電圧線Ｌ２との間のバイパス要素として機能する。ここで、使用される電力線搬送通信の搬送周波数帯域は、２ＭＨｚから３０ＭＨｚであり、その帯域でのインピーダンスの絶対値は、例えば１０Ωである。
【００５０】
電源ジャック１３１、１３２、１３Ｎは、それぞれ電源プラグ端子１１１、１１２、１１Ｎと接続され、他の電源プラグが挿入可能になっている。したがって、図１のアダプタ装置１０を２００Ｖ用コンセントに挿入しても、そのコンセントから２００Ｖの交流電源を他の電気機器に供給することができる。なお、アダプタ装置１０を挿入したコンセントから電源供給を行う必要がない場合は、電源ジャック１３１、１３２、１３Ｎは、不要である。また、電源プラグ端子１１Ｎ及び電源プラグ端子１１Ｎも省略可能である。
【産業上の利用可能性】
【００５１】
本発明は、電力線搬送通信に利用される屋内電力配線、及びそのような屋内電力配線に利用されるジョイントボックス、配線アダプタ、スイッチ部材、テーブルタップ等として有用である。
【図面の簡単な説明】
【００５２】
【図１】本発明の実施の形態を説明するための単相３線式屋内電力配線の要部概略構成を示す図
【図２】本発明の実施形態の屋内電力配線に設けられるジョイントボックスの一例の概略構成を示す図
【図３】本発明の実施形態の屋内電力配線に設けられるジョイントボックスの他の例の概略構成を示す図
【図４】本発明の実施形態の屋内電力配線に設けられる電源コンセントの一例の概略構成を示す図
【図５】本発明の実施形態の屋内電力配線に設けられる電源コンセントの他の例の概略構成を示す図
【図６】本発明の実施形態の屋内電力配線に設けられる配線アダプタの一例の概略構成を示す図
【図７】本発明の実施の形態を説明するための屋内電力配線の部分構成を示す図
【図８】本発明の実施形態の屋内電力配線に設けられるスイッチ部材の一例の概略構成を示す図
【図９】本発明の実施形態の屋内電力配線として利用されるテーブルタップの一例の概略構成を示す図
【図１０】本発明の実施形態の屋内電力配線に利用されるアダプタ装置の一例の概略構成を示す図
【符号の説明】
【００５３】
１・・・主遮断機
２ａ、３ａ、３ｂ、３ｃ、３ｄ・・・１００Ｖ用コンセント
４ａ、４ｂ・・・２００Ｖ用コンセント
５１、５２、５３、５４・・・１００Ｖ電気機器
６・・・２００Ｖ電気機器
７ａ、７ｂ、７ｃ・・・モデム
８ａ、８ｂ、８ｃ・・・通信機器
９１、９２・・・ジョイントボックス
９１ａ〜９１ｃ、９２ａ〜９２ｃ・・・線路
１０・・・アダプタ装置
５４１、５４２・・・スイッチ部
３０１・・・電源コンセント筐体
３０２ａ、３０２ｂ・・・電源コンセントの給電側端子
３０３ａ、３０３ｂ、３０４ａ、３０４ｂ、３０６ａ、３０６ｂ・・・電源コンセントの電源ジャック
３０５ａ、３０５ｂ、３２５ａ、３２５ｂ、５４２４ａ、５４２４ｂ、５４２５ａ、５４２５ｂ・・・電源ケーブル用孔
３１０、３２０・・・コモンモードチョーク
３２１・・・配線アダプタ筐体
３２２ａ、３２２ｂ・・・配線アダプタの給電側端子
３２３ａ、３２３ｂ・・・配線アダプタの被給電側端子
３２４ａ、３２４ｂ・・・配線アダプタのコンセント接続部材
９０１・・・ジョイントボックス筐体
９０２ａ、９０２ｂ・・・ジョイントボックスの給電側端子
９０３ａ、９０３ｂ、９０４ａ、９０４ｂ、９０５ａ、９０５ｂ・・・ジョイントボックスの被給電側端子
９１０、９１１、９１２・・・コモンモードチョーク
９２０・・・ジョイントボックスに対する給電側線路
９３１、９３２・・・ジョイントボックスからの被給電側線路
５４２１・・・スイッチ部材筐体
５４２２ａ、５４２２ｂ・・・スイッチ部材の給電側端子
５４２３ａ、５４２３ｂ・・・スイッチ部材の被給電側端子
５４２０・・・コモンモードチョーク
５４３０・・・スイッチ要素
１６・・・電源プラグ
１６１ａ、１６１ｂ・・・電源プラグ端子
１７・・・電源コード
１８・・・タップ筐体
１８１ａ、１８１ｂ・・・給電側端子
１８２ａ、１８２ｂ、１８３ａ、１８３ｂ・・・電源ジャック
１８０・・・コモンモードチョーク
１００・・・アダプタ筐体
１１１、１１２、１１Ｎ・・・電源プラグ端子
１２・・・コンデンサ
１３１、１３２、１３Ｎ・・・電源ジャック
【図１】
2005333224.tif 000003
【図２】
2005333224.tif 000004
【図３】
2005333224.tif 000005
【図４】
2005333224.tif 000006
【図５】
2005333224.tif 000007
【図６】
2005333224.tif 000008
【図７】
2005333224.tif 000009
【図８】
2005333224.tif 000010
【図９】
2005333224.tif 000011
【図１０】
2005333224.tif 000012